(57)【特許請求の範囲】
【請求項１】
作業者の背中に位置決めされる背部材と、作業者の左右の肩部に夫々位置する左右のショルダーベルトとを少なくとも含むハーネスネットワークに連結された係止具を有し、該係止具に作業機が取り付けられるショルダーハーネスにおいて、
前記左右のショルダーベルトが非対称の形状を有し、
作業機とは反対側のショルダーベルトの肩部の前側部分が、該ショルダーベルトに加わる引っ張り力の方向に向かって湾曲又は傾斜した形状に形作られており、
作業機と同じ側のショルダーベルトの肩部の前側部分が真っ直ぐな形状に形作られており、
前記左右のショルダーベルトの前端が作業者の前方且つ中央部分で合流しており、
前記係止具が中継部材に吊り下げられ、該中継部材を介して前記係止具が前記左右のショルダーベルトの合流部分に連結されていることを特徴とする携帯作業機用ショルダーハーネス。
【請求項２】
前記左右のショルダーベルトの合流部分に抜き差し可能なジョイントバックルを有する、請求項１に記載の携帯作業機用ショルダーハーネス。
【請求項３】
前記左右のショルダーベルトの合流部分に、前記中継部材が連結されている、請求項１又は２に記載の携帯作業機用ショルダーハーネス。
【請求項４】
前記中継部材が、前記背部材に連結されている、請求項３に記載の携帯作業機用ショルダーハーネス。
【請求項５】
作業者の背中に位置決めされる背部材と、作業者の左右の肩部に夫々位置する左右のショルダーベルトとを少なくとも含むハーネスネットワークに連結された係止具を有し、該係止具に作業機が取り付けられるショルダーハーネスにおいて、
前記左右のショルダーベルトが非対称の形状を有し、
作業機とは反対側のショルダーベルトの肩部の前側部分が、該ショルダーベルトに加わる引っ張り力の方向に向かって湾曲又は傾斜した形状に形作られており、
作業機と同じ側のショルダーベルトの肩部の前側部分が真っ直ぐな形状に形作られており、
前記左右のショルダーベルトの前端が中継部材に連結され、
該中継部材に前記係止具が吊り下げられていることを特徴とする携帯作業機用ショルダーハーネス。
【請求項６】
前記中継部材が、前記背部材に連結されている、請求項５に記載の携帯作業機用ショルダーハーネス。
【発明の詳細な説明】
【技術分野】
【０００１】
本発明は、刈り払い機、剪枝機などの携帯作業機を支持するためのショルダーハーネスに関する。
【背景技術】
【０００２】
携帯作業機は作業者が携帯して作業することから、作業中、作業者の両腕に負担がかかる。これを軽減するためにショルダーハーネスが使われている。ショルダーハーネスは、作業者の背中に位置決めされる背部材と、この背部材に連結した左右のショルダーベルトとを少なくとも含むハーネスネットワークで作業者の上半身を包囲する構造を有している。
【０００３】
図６は、特許文献１に開示のショルダーハーネスの概要を示す。図６に示す従来の第１のショルダーハーネス１は、背部材２に連結された脇ベルト１１を含み、この脇ベルト１１の前端が作業者の前方で左右のショルダーベルトＳＢと合流することでハーネスネットワーク４が構成されている。そして、このハーネスネットワーク４に、ヒップパッド５を備えたフックなどの係止具８が連結されている。この係止具８に作業機（図示せず）が着脱可能に取り付けられる。具体的には、ヒップパッド５の上部に横方向に延びるトンネル部５ａが形成され、このトンネル部５ａに挿通された一本の連続した懸垂紐６の一端が背部材２に連結され、他端が脇ベルト１１に連結されている。ヒップパッド５は、また、第２の懸垂部材である懸垂ベルト７によって背部材２に連結されている。図中、参照符号ＳＢはショルダーベルトを示す。
【０００４】
図７は、特許文献２に開示のショルダーハーネスの概要を示す。図７に示す従来の第２のショルダーハーネス１０のハーネスネットワーク１３は、背部材２の上端部に連結されて斜めに延びる第１の斜行ベルト１１Ａを含んでいる。この第１の斜行ベルト１１Ａは、背部材２の上端部から作業者の左脇を斜め下方に進みながら作業者の前方まで延びて腰ベルト１２と合流している。したがって、この第１の斜行ベルト１１Ａは実質的に脇ベルトを構成している。腰ベルト１２は背部材２を横断して作業者の右側に延長した延長部１２ａを有し、この延長部１２ａの先端が、背部材２の上端部から斜めに延びる第２の斜行ベルト１１Ｂに連結されている。ヒップパッド５を備えた係止具８は、前後の２本の懸垂ベルト１４、１５を介してハーネスネットワーク１３に連結されている。具体的には、前側懸垂ベルト１４が第１斜行ベルト１１Ａと腰ベルト１２の合流部分に連結され、他方、後側懸垂ベルト１５が腰ベルト１２の延長部１２ａとショルダーベルトＳＢとの合流部分に連結されている。
【０００５】
図８は、特許文献３、４に開示のショルダーハーネスの概要を示す。図８に示す従来の第３のショルダーハーネス２０は、背部材２に連結された腰ベルト３および脇ベルト１１を含んでハーネスネットワーク２１が構成されている。ヒップパッド５を備えた係止具８は、前後の２本の懸垂ベルト１４、１５を介してハーネスネットワーク２１に連結されている。具体的には、前側懸垂ベルト１４が脇ベルト１１の前端に連結され、後側懸垂ベルト１５が背部材２に連結されている。図中、参照符号１６は、抜き挿し可能なジョイントバックルを示し、このジョイントバックル１６は作業者の胸部に位置決めされる。
【０００６】
図９は、特許文献５に開示のショルダーハーネスの概要を示す。図９に示す従来の第４のショルダーハーネス３０は、背部材２に連結された左右の２本の脇ベルト３１、３２を含んでハーネスネットワーク３３が構成されている。係止具８を含むヒップパッド５は、前後の２本の懸垂ベルト１４、１５を介してハーネスネットワーク３３に連結されている。具体的には、前側懸垂ベルト１４が左側脇ベルト３１の前端に連結され、後側懸垂ベルト１５が背部材２に連結されている。
【先行技術文献】
【特許文献】
【０００７】
【特許文献１】ＷＯ２００８／０７６０１０号Ａ１公報
【特許文献２】ＵＳＰ5,913,464号公報
【特許文献３】ＵＳ6,247,624Ｂ１号公報
【特許文献４】ＷＯ２００８／１４７２５６Ａ１号公報
【特許文献５】特開２００５−１４３４５３号公報
【発明の概要】
【発明が解決しようとする課題】
【０００８】
従来のショルダーハーネスに含まれる左右のショルダーベルトＳＢは、共に同じ形状を有し、作業者の左右の肩部の前方を上下に真っ直ぐに延びる形状に形作られている。図１０を参照して具体的に説明すると、この図１０は、代表例として特許文献４に開示のショルダーハーネスの構成図を模式的に図示するものである。すなわち、この図１０は、ここに添付の図８に図示のショルダーハーネスを装着した作業者Ｐを前方から見た正面図である。
【０００９】
ショルダーベルトＳＢは、一般的に、作業者Ｐの肩部に当接する肩部１８とバンド１９とで構成され、肩部１８は芯材とパッドとで構成され、この肩部１８の形状は芯材によって既定される。図１０から分かるように、従来のショルダーベルトＳＢは、その肩部１８が左右対称に形作られており、作業者Ｐの肩部から真っ直ぐに延びる形状が採用されている。
【００１０】
引き続き図１０を参照して、左右のショルダーベルトＳＢの前端を互いに連結するジョイントバックル１６に対して前側懸垂ベルト１４によって係止具８（ヒップパッド５）が連結され、この係止具８は、また、背部材２に対して後側懸垂ベルト１５によって連結する構成が採用されている。前後の懸垂ベルト１４、１５は比較的長尺の且つ幅広のバンドで構成されている。したがって、作業者Ｐは、係止具８に取り付けた作業機を自由に移動させることができるが、作業機を係止具８に取り付けたときには、作業機の重量によって前側懸垂ベルト１４又は後側懸垂ベルト１５に引っ張り力が発生する。引っ張り力は、主に、ジョイントバックル１６を介して、作業機（係止具８）とは反対側の左側のショルダーベルトＳＢ(Le)に右斜め下に向かう力Ｆ（係止具８に向かう力）として伝わる。前側懸垂ベルト１４に加わる引っ張り力Ｆは、作業者が作業機を移動させるのに伴って変化する。
【００１１】
作業機を吊り下げた側とは反対側の左側のショルダーベルトＳＢ(Le)に引っ張り力Ｆが作用すると、作業員の首に接近する肩部１８の移動を伴った変形を伴いながら、この肩部１８が右側に引き寄せられる傾向になる。すなわち、左側ショルダーベルトＳＢ(Le)の肩部１８は、その芯材が作業者Ｐの首に接近する移動を伴いながら撓んだ形状に変形しながら正規位置から変位した位置ずれを生じる。そして、左側ショルダーベルトＳＢ(Le)の肩部１８の変形や位置ずれは、作業中の前側懸垂ベルト１４に加わる引っ張り力Ｆの変化に伴って変化する。この現象は、作業者Ｐにとって不快であるだけでなく、作業者Ｐの左肩の負担が大きくなり、作業者の疲れを蓄積させる要因となる。
【００１２】
本発明の目的は、左右のショルダーベルトを備えたショルダーハーネスを前提として、作業機とは反対側のショルダーベルトの変形や位置ずれを抑制して作業者の肩の負担を軽減できる作業機用ショルダーハーネスを提供することにある。
【課題を解決するための手段】
【００１３】
上記の技術的課題は、本発明の一つの観点によれば、
作業者の背中に位置決めされる背部材と、作業者の左右の肩部に夫々位置する左右のショルダーベルトとを少なくとも含むハーネスネットワークに連結された係止具を有し、該係止具に作業機が取り付けられるショルダーハーネスにおいて、
前記左右のショルダーベルトが非対称の形状を有し、
作業機とは反対側のショルダーベルトの肩部の前側部分が、該ショルダーベルトに加わる引っ張り力の方向に向かって湾曲又は傾斜した形状に形作られており、
作業機と同じ側のショルダーベルトの肩部の前側部分が真っ直ぐな形状に形作られており、
前記左右のショルダーベルトの前端が作業者の前方且つ中央部分で合流しており、
前記係止具が中継部材に吊り下げられ、該中継部材を介して前記係止具が前記左右のショルダーベルトの合流部分に連結されていることを特徴とする携帯作業機用ショルダーハーネスを提供することにより達成される。
上記の技術的課題は、また、本発明の他の観点によれば、
作業者の背中に位置決めされる背部材と、作業者の左右の肩部に夫々位置する左右のショルダーベルトとを少なくとも含むハーネスネットワークに連結された係止具を有し、該係止具に作業機が取り付けられるショルダーハーネスにおいて、
前記左右のショルダーベルトが非対称の形状を有し、
作業機とは反対側のショルダーベルトの肩部の前側部分が、該ショルダーベルトに加わる引っ張り力の方向に向かって湾曲又は傾斜した形状に形作られており、
作業機と同じ側のショルダーベルトの肩部の前側部分が真っ直ぐな形状に形作られており、
前記左右のショルダーベルトの前端が中継部材に連結され、
該中継部材に前記係止具が吊り下げられている、請求項１に記載の携帯作業機用ショルダーハーネスを提供することにより達成される。
【００１４】
本発明のショルダーハーネスによれば、作業機とは反対側のショルダーベルトの肩部の前側部分が、該ショルダーベルトに加わる引っ張り力の方向に向かって湾曲又は傾斜した形状に形作られているため、作業機を移動させることに伴って作業機とは反対側のショルダーベルトに引っ張り力が作用しても、これを原因とする当該ショルダーベルトの肩部の移動や変形を抑制できるため、ショルダーベルトのフィット感を維持することができる。そして、これにより作業者の肩の負担を軽減することができる。
【図面の簡単な説明】
【００１５】
【図１】本発明の実施形態の基本構成図である。
【図２】実施例のショルダーハーネスに含まれるハーネスネットワークを正面から見た図である。
【図３】実施例のショルダーハーネスに含まれる背プレートに一体成形されたショルダ部を示す図である。
【図４】実施例のショルダーハーネスに含まれる中継プレート及びこれに吊り下げられたヒップパッドを示す斜視図である。
【図５】変形例のショルダーハーネスの構成図を示す。
【図６】従来のショルダーハーネスの構成図である。
【図７】他の形式の従来のショルダーハーネスの構成図である。
【図８】別の形式の従来のショルダーハーネスの構成図である。
【図９】更に他の従来のショルダーハーネスの構成図である。
【図１０】従来のショルダーハーネスに含まれる左右のショルダーベルトに由来する問題点を説明するための図である。
【発明を実施するための形態】
【実施例】
【００１６】
本発明の実施形態及び具体例を図１〜図５の図面に基づいて説明する。なお、この説明において「左」、「右」という用語は、ショルダーハーネスを作業者が装着したときに作業者の左側に位置する場合を「左」と呼び、作業者の右側に位置する場合を「右」と呼ぶ。また、「前」、「後」という用語は、ショルダーハーネスを作業者が装着したときに作業者の前側に位置する場合を「前」と呼び、作業者の後側に位置する場合を「後」と呼ぶ。
【００１７】
先ず図１を参照して、本発明に従うショルダーハーネス１００は、そのハーネスネットワーク１０２を構成する要素として左右のショルダーベルト１０４を有する。前述した図１０と対比して図１を見ると分かるように、作業機（ヒップパッド１０６を備えた係止具１０８）と同じ側に位置する右側ショルダーベルト１０４Riは従来と同様に直線状に延びる肩部１１０Riを有し、この肩部１１０Riから幅広のバンド１１２Riがジョイントバックル１０８に連結されている。これに対して、作業機（ヒップパッド１０６）とは反対側の左側ショルダーベルト１０４Leは、その肩部１１０Leが右側に向けて斜行又は湾曲して延びている。すなわち、左右のショルダーベルト１０４Le、１０４Riは非対象である。
【００１８】
任意であるが、ショルダーハーネス１００は作業機とは反対側に位置する脇ベルト１１４を有していてもよい。同様に任意であるが、ショルダーハーネス１００は、背部材に連結された腰ベルト１１６を有していてもよい。更に好ましくは、吊り下げベルト１１８を介して係止具１０８を支持する中継部材としての中継プレート１２０を有し、この中継プレート１２０を保持部材１２２を介してハーネスネットワーク１０２に連結するのがよい。
【００１９】
本発明の従うショルダーハーネス１００に含まれる左右のショルダーベルト１０４は図６乃至図９を参照して説明した従来のショルダーハーネスに含まれる左右のショルダーベルトに適用可能である。
【００２０】
本発明の従うショルダーハーネス１００は、作業機（ヒップパッド１０６）とは反対側の左側ショルダーベルト１０４Leの肩部１１０Leが右側に向けて斜行又は湾曲して延びていることから、作業機からの引っ張り力Ｆが左側ショルダーベルト１０４Leに作用したとしても、この左側ショルダーベルト１０４Leの肩部１１０Leの変形又は位置ずれを抑制することができ、肩部への負担を軽減することができる。
【００２１】
実施例（図２〜図４）：
図２は、実施例のショルダーハーネス２００を示す。実施例のショルダーハーネス２００のハーネスネットワーク２０２は、作業者の背中に対面して位置する背部材として合成樹脂成型品の背プレート２０４を有し、この背プレート２０４の本体２０４ａの上端の両側部には、前方に延びる左右一対の細長い形状の延長部２０６Ri、２０６Leが一体的に形成されている。背プレートこの一対の延長部２０６Ri、２０６Leは、夫々、作業者の左右の肩部に位置決めされる。図中、参照符号２０８は通気用の開口を示し、この通気用開口２０８は、背プレート本体２０４ａ、左右の延長部２０６Le、２０６Riの全域に数多く設けられている。この左右の延長部２０６Le、２０６Riを備えた背プレート２０４は、例えばＰＥ、ＰＰ、ナイロンのような合成樹脂を一体成形することで作られている。左右の延長部２０６Le、２０６Riは、左右のショルダーベルト２１６Le、２１６Riの肩部の芯材を構成し、この左右の延長部２０６Le、２０６Riには、夫々、細長い形状に形作られたショルダクッション２１０が固定される。
【００２２】
左右の延長部２０６Le、２０６Riの先端部には、夫々、引張り強さに優れたポリエステル繊維からなる従来から周知の幅広のバンド２１２が連結され、そして、この左右のショルダバンド２１２Le、２１２Riの先端は合流している。この合成樹脂製の延長部２０６Le、２０６Ri及びその各々に連結された左右のバンド２１２Le、２１２Riは、夫々、左右のショルダーベルト２１６Le、２１６Riを構成し、好ましい態様として、その先端にジョイントバックル２１４Le、２１４Riを設けるのがよい。このジョイントバックル２１４Le、２１４Riは従来から周知の抜き差し可能な、互いに対をなすジョイントバックルで構成されている。
【００２３】
図３は、背プレート２０４に含まれる左右の延長部２０６Le、２０６Riを抽出した平面図である。図３から分かるように、背プレート２０４の本体２０４ａの上端から連続して延びる左右の延長部２０６Le、２０６Riが左右非対象となっている。図３から良く分かるように、左側の延長部２０６Leは先端に向かうに従って右側に湾曲する形状に形作られている。これに対して右側延長部２０６Riは従来と同様に真っ直ぐに延びている。
【００２４】
図２に戻って、上述した左右のショルダバンド２１２Le、２１２Riには、夫々、長さ調整バックル２１８が設けられている。この長さ調整バックル２１８によって左右のショルダーベルト２１６Le、２１６Riは、夫々、独立してその長さ寸法を調整することができる。
【００２５】
実施例のショルダーハーネス２００は、作業者の左の体側に沿って横方向に延びる幅広の脇ベルト２２０を好ましくは有し、この脇ベルト２２０は、幅広のポリエステル繊維バンド２２２とその内側に縫い込つけたクッション材２２４とで構成されている。脇ベルト２２０は、その後端が背プレート２０４の下端部に連結され、前端が左側ジョイントバックル２１４Leに対して長さ調整可能に連結されている。
【００２６】
図２に図示の仮想線２３０は、ハーネスネットワーク２０２と、図４に図示の中継プレート２３２とを連結する保持部材を示す。保持部材２３０は前側保持ベルト２３０Frと後側保持ベルト２３０Reとで構成され、これらは、ポリエステル繊維からなる従来から周知の幅広のバンドで構成されている。前側保持ベルト２３０Frは右側ジョイントバックル２１４Riと、中継部材としての中継プレート２３２(図４)とに連結されている。他方、後側保持ベルト２３０Reは中継プレート２３２と背プレート２０４とに連結されている。
【００２７】
図２の参照符号２３６は、右側ジョイントバックル２１４Riに形成されたスリットを示し、このスリット２３６に前側保持ベルト２３０Frが連結される。また参照符号２３８は、背プレート２０４に形成されたスリットを示し、このスリット２３８に後側保持ベルト２３０Reが連結される。好ましくは、前後の保持ベルト２３０Fr、２３０Reの各々に長さ調整バックル（図示せず）を設けるのがよい。
【００２８】
図４を参照して、この図４の上側に描いてある中継プレート２３２には、その上部に幅方向に離間して位置する２つの前後のスリット２４０、２４２が形成されている。前側スリット２４０には上記前側保持ベルト２３０Frが連結され、他方、後側スリット２４２には上記後側保持ベルト２３０Reが連結される。
【００２９】
図４に図示の参照符号２５０はヒップパッドを示す。このヒップパッド２５０の上端部と、その上方に位置する中継プレート２３２の幅方向中間部分とが吊り下げ部材である１本の幅広のベルト２５２によって連結されている。変形例として、中継プレート２３２の幅方向に離間してこの中継プレート２３２に連結した複数の吊り下げベルトでヒップパッド２５０と中継プレート２３２とを連結するようにしてもよい。吊り下げベルト２５２はポリエステル繊維からなる従来から周知の幅広のバンドで構成され、好ましくは長さ調整バックル又はジョイントバックル２５４を備えているのがよい。図４に示す参照符号２６０は従来から既知のフックであり、このフック２６０が作業機(図示せず)を係止する係止部材を構成している。
【００３０】
図２〜図４に図示の実施例のショルダーハーネス２００は比較的軽量な作業機に好適に適用される。比較的重い作業機に適用するには、背プレート２０４を下方に延長し、その下端部に、長さ調整可能な腰ベルトを連結してもよい。腰ベルトを、従来と同様に、左右に２分割したポリエステル繊維からなる幅広のバンドで構成し、この左右のバンドの前端つまり作業者の腹部中央に相当する位置にジョイントバックルを設ければよい。そして、この腰ベルトの右側バンドと中継プレート２３２とを連結するのが好ましい。腰ベルトの右側バンドを中継プレート２３２に連結する方法として、中継プレート２３２に、例えばその幅方向に延びるトンネルを設け、このトンネルに右側バンドを挿通させてもよいし、腰ベルトの右側バンドを中継プレート２３２に固定してもよい。腰ベルトを中継プレート２３２に固定する方法として、一本の右側バンドの長手方向中間部分に中継プレート２３２を固定してもよいし、右側バンドを二本の分割バンドで構成し、相対的に後方に位置する後側分割バンドの前端を中継プレート２３２に連結し、前側分割バンドの後端を中継プレート２３２に連結するようにしてもよい。
【００３１】
この変形例のショルダーハーネスは比較的重い作業機に好適に適用可能である。この変形例を比較的重い作業機に適用する場合には、背プレート２０４は、比較的剛性を備えた構造であるのがよい。また、左右のショルダバンド２１２Le、２１２Riを背プレート２０４からジョイントバックル２１４まで連続して延びる合成繊維の幅広のバンドで構成してもよい。この形式のショルダーハーネスはＷＯ２００８/１４７２５６Ａ１公報に詳しく説明されていることから、この公報を本明細書に援用する。
【００３２】
実施例のショルダーハーネス２００は、図３を参照して説明したように、これに含まれる左側の左側ショルダーベルト２１６Leの肩部の芯材を構成する背プレート２０４の左側延長部２０６Leが右側に向かって湾曲し、その先端がジョイントバックル２１４に差し向けられ、これにより左側のショルダーベルト２１６Leに対してジョイントバックル２１４に向かう形態が与えられている。より好ましくは、作業者の左肩部分に位置する左側延長部２０６Leに関し、その先端を中継プレート１０６又は係止具２６０に差し向けることができるように、左側延長部２０６Leの前側部分を湾曲又は斜行した形状に設計するのがよい。
【００３３】
右側に位置決めされる作業機の荷重は、右側のショルダーベルト２１６Reに比べて左側のショルダーベルト２１６Leの方により多く加わる。そして、作業機を大きく移動させたときには、この左側のショルダーベルト２１６Leに引っ張り力が作用する傾向になるのは否めない。この引っ張り力Ｆ（図１）が作用する方向と一致するように左側のショルダーベルト２１６Leの肩部分の形状を予め形作っておくことにより、左側のショルダーベルト２１６Leに引っ張り力Ｆが作用しても、これが原因で左側ショルダーベルト２１６Leの肩部分の形状や位置が変化するのを低減することができる。これにより、仮に片寄った引っ張り力Ｆが左側ショルダーベルト２１６Leに作用しても左側ショルダーベルト２１６Leの肩部分のフィット感を維持することができる。また、仮に片寄った引っ張り力が左側ショルダーベルト２１６Leに作用しても、左側ショルダーベルト２１６Leの肩部分の捻れ等の変形が発生しないため左側ショルダーベルト２１６Leの耐久性の低下も抑えることができる。
【００３４】
なお、背プレートとショルダーベルトとが別体構造であるショルダーハーネスにおいては、左側のショルダーベルトの左側の肩パッドに対して、作業者の肩部の前側に相当する部位に図１に図示する湾曲又は斜行した形状を与える設計を行えばよい。
【００３５】
以上、ショルダーハーネス２００の背部材の例として合成樹脂成型品の背プレート２０４を説明したが、背プレート２０４の本体２０４ａつまり作業者の背中に位置する背部材を幅広の複数のバンドで構成してもよいのは勿論である。
【００３６】
変形例（図５）：
図５は変形例のショルダーハーネス２５０を示し、前記図１を参照して説明した要素と同じ要素に同一の参照符号を付すことによりその説明を省略し、以下に図５に図示の変形例の特徴部分を説明する。
【００３７】
図５に図示の変形例のショルダーハーネス２５０のハーネスネットワーク２５２は、図１に図示のショルダーハーネス１００と同様に左右非対象の左右のショルダーベルト１０４Le、１０４Riを有している。変形例のショルダーハーネス２５０にあっては、左右のショルダーベルト１０４Le、１０４Riが中継プレート１２０に直接的に連結されている。この変形例のショルダーハーネス２５０は、背部材に連結した腰ベルト２５４を有しているのが好ましく、背部材に連結した腰ベルト２５４を中継プレート１２０に連結するのがよい。また、腰ベルト２５４は、好ましくは、伸縮性を備えた素材で構成するのがよい。
【００３８】
この変形例のショルダーハーネス２５０にあっても、左右非対象のショルダーベルト１０４Le、１０４Riを採用し、作業機（ヒップパッド１０６）とは反対側の左側ショルダーベルト１０４Leの肩部１１０Leが右側に向けて斜行又は湾曲して延びていることから、作業機からの引っ張り力Ｆが左側ショルダーベルト１０４Leに作用したとしても、この左側ショルダーベルト１０４Leの肩部１１０Leの変形又は位置ずれを抑制することができ、肩部への負担を軽減することができる。
【産業上の利用可能性】
【００３９】
本発明は、刈り払い機、ポールプルーナー（長いメインパイプの先にチェーンソータイプの鋸刃作業部が取り付けられている携帯作業機）、シャフトヘッジトリマ（長いメインパイプの先に往復動刃作業部が取り付けられている携帯作業機）など、作業者が腰部付近に吊り下げて作業可能な携帯作業機の全てに好適に適用できる。
【符号の説明】
【００４０】
１００    ショルダーハーネス
１０２    ハーネスネットワーク
１０４    ショルダーベルト
１０６    ヒップパッド
１０８    係止具（作業機を取り付ける部材）
１１０    ショルダーベルトの肩部
１１０Le  左側ショルダーベルトの肩部
１１０Ri  右側ショルダーベルトの肩部
１１２    ショルダーベルトのバンド
１１４    脇ベルト
１１６    腰ベルト
１２０    中継部材（中継プレート）
２０４    背部材（背プレート）
【図１】
0005944212.tif 000002
【図２】
0005944212.tif 000003
【図３】
0005944212.tif 000004
【図４】
0005944212.tif 000005
【図５】
0005944212.tif 000006
【図６】
0005944212.tif 000007
【図７】
0005944212.tif 000008
【図８】
0005944212.tif 000009
【図９】
0005944212.tif 000010
【図１０】
0005944212.tif 000011